(57)【要約】【課題】左右に離間させて１対設けた側板間に棚板を架け渡す構成の整理棚において、側板間の離間を起こりにくくする。【解決手段】左右１対に離間して設けた側板１間に、棚板取付具２４を介して側端縁部に折り返し部２２を設けた棚板２を取付可能に構成している整理棚Ｌにおいて、前記棚板取付具２４に、前記側板１に設けた棚板取付孔１ｃに係合させる取付部たる係合爪２４１と、前記棚板２の折り返し部２２を載置する載置部２４２ａ及び前記折り返し部２２の折り返し端部と係り合う対棚板係合部２４２ｂを有し、前記棚板２を保持する棚板保持部２４２とを具備させるとともに、前記係合爪２４１近傍から延ばして設けられ、前記側板１間の離間に伴い、側板１に衝き当たり、該棚板取付具２４の前記係合爪２４１付近を中心とした回転運動を抑止し得るように構成している回転抑止部たる当たり板部２４３をさらに具備させるようにした。【選択図】図９
2004147798.tif 000002
【特許請求の範囲】
【請求項１】
左右１対に離間して設けた側板間に、棚板取付具を介して棚板を取付可能に構成しているものであって、前記棚板取付具が、前記側板に設けた棚板取付孔に係合させる取付部と、前記棚板の側端縁部を載置する載置部及び前記棚板の側端部と係り合う対棚板係合部とを有する前記棚板を保持可能な棚板保持部とを具備するとともに、
前記取付部近傍から延ばして設けられ、前記側板間の離間に伴い、側板に衝き当たり、該棚板取付具が前記取付部付近を中心として回転運動を行うことを抑止し得るように構成している回転抑止部をさらに具備するものであることを特徴とする整理棚。
【請求項２】
前記棚板取付具の前記取付部及び前記対棚板係合部を前記載置部から起立して設けているとともに、前記回転抑止部を前記載置部の前記取付部近傍から下方に延ばして設けていることを特徴とする請求項１記載の整理棚。
【請求項３】
棚板の高さ位置を変更可能に構成していることを特徴とする請求項１又は２記載の整理棚。
【請求項４】
前記棚板取付具の前記棚板保持部に浮き上がり防止部材取付孔を設けているとともに、棚板に浮き上がり防止部材挿通部を前記浮き上がり防止部材取付孔と重合させて設け、前記浮き上がり防止部材取付孔に浮き上がり防止部材を係り合わせ、前記浮き上がり防止部材挿通部を通過させて取り付けるように構成していることを特徴とする請求項１、２又は３記載の整理棚。
【請求項５】
前記１対の側板の後端部間に背板をさらに設けていることを特徴とする請求項１、２、３又は４記載の整理棚。
【請求項６】
前記側板を前記背板の側縁又はその近傍に設定した軸を中心に回転可能に設け、前記側板と前記背板とを重合可能にしていることを特徴とする請求項５記載の整理棚。
【請求項７】
卓上に載置して用いられるものであることを特徴とする請求項１、２、３、４、５又は６記載の整理棚。
【請求項８】
請求項１、２、３、４、５、６又は７記載の整理棚に用いられ、前記側板に設けた棚板取付孔に係合させる取付部と、前記棚板の側端縁部を載置する載置部及び前記棚板の側端部と係り合う対棚板係合部を有し、前記棚板を保持する棚板保持部とを具備するとともに、前記取付部近傍から延ばして設けられ、前記側板間の離間に伴い、該棚板取付具が前記取付部付近を中心として回転運動を行う際に側板に衝き当たり得るように構成している回転抑止部をさらに有することを特徴とする棚板取付具。
【発明の詳細な説明】
【０００１】
【発明の属する技術分野】
本発明は、書類等を収納整理するのに用いられる整理棚及びこの整理棚に用いられる棚板取付具に関する。
【０００２】
【従来の技術】
従来、オフィスなどに用いられる整理棚において、例えば背板に側板をその側端近傍に設定した回転軸を中心に回転可能に取り付けているものが考えられている。（例えば特許文献１参照。）棚板を側板に取り付けるための棚板取付具としては、例えば上方に側板と係合する係合部を設けているとともに、下方に側板の側縁部を載置して保持する側板保持部を前記係合部と連続させて設けているものが用いられている。（例えば特許文献２参照。）
【０００３】
【特許文献１】
特開平１１−２９９５４９号公報（第２〜４頁、第６図）
【特許文献２】
特開２００１−１６１４７０号公報（第３頁、第３図、第６図）
【０００４】
【発明が解決しようとする課題】
ところが、特に背板に側板をその側端近傍に設定した回転軸を中心に回転可能に取り付け、前記側板と前記背板とを重合可能に構成したものにおいては、側板が移動可能であることから、側板間が離間しようとする不具合が発生する。この際、従来の棚板取付具を用いた整理棚では、棚板取付具の構成によって係合部を中心に回転し、棚板の浮き上がり又は沈み込みを伴う。
【０００５】
本発明は、以上に述べた課題を解決し、側板間の離間を防ぐべく構成するものである。
【０００６】
【課題を解決するための手段】
すなわち本発明に係る整理棚は、左右１対に離間して設けた側板間に、棚板取付具を介して棚板を取付可能に構成しているものであって、前記棚板取付具が、前記側板に設けた棚板取付孔に係合させる取付部と、前記棚板の側端縁部を載置する載置部及び前記棚板の側端部と係り合う対棚板係合部を有し、前記棚板を保持する棚板保持部とを具備するとともに、前記取付部近傍から延ばして設けられ、前記側板間の離間に伴い、側板に衝き当たり、該棚板取付具が前記取付部付近を中心として回転運動を行うことを抑止し得るように構成している回転抑止部をさらに具備するものであることを特徴とする。
【０００７】
このようなものであれば、側板が互いに離間しようとする際に、前記回転抑止部が側板に衝き当たるとともに、前記取付部が側板と係り合いこれらが協働して前記取付部付近を中心として該棚板取付具が回転運動を行うことを抑止することができるようになる。さらに、このことによって該棚板取付具及び側板を略固定し、側板間の離間の進行を防ぐことをもできるようになる。
【０００８】
このような整理棚の具体的な実施態様として、前記棚板取付具の前記取付部及び前記対棚板係合部を前記載置部から起立して設けているとともに、前記回転抑止部を前記載置部の前記取付部近傍から下方に延ばして設けているものが挙げられる。このように構成した棚板取付具を用いれば、前段で述べたような整理棚を簡単な構成で実現できる。
【０００９】
棚板の高さ位置を変更可能に構成しているものであれば、整理棚に収納する物品に応じて棚板の高さ位置を変更してより幅広い使用態様に対応できるようになる。
【００１０】
不意の衝撃等による棚板の浮き上がりを効果的に防止できるようにするには、前記棚板取付具の前記棚板保持部に浮き上がり防止部材取付孔を設けているとともに、棚板に浮き上がり防止部材挿通部を前記浮き上がり防止部材取付孔と重合させて設け、前記浮き上がり防止部材取付孔に浮き上がり防止部材を係り合わせ、前記浮き上がり防止部材挿通部を通過させて取り付けるようにに構成すればよい。このようにすれば、棚板が前記棚板取付具から浮き上がろうとしても、棚板が浮き上がり防止部材に衝き当たり、それ以上浮き上がることがなくなるからである。
【００１１】
このような整理棚に、書類等の物品をより安定的に収納するには、前記１対の側板の後端部間に背板をさらに設ければよい。この背板に物品を衝き当てることにより、この背板により物品を支持できるようになるからである。
【００１２】
特に、前記側板を前記背板の側縁又はその近傍に設定した軸を中心に回転可能に設け、前記側板と前記背板とを重合可能にしているものであれば、簡単な構成で背板を設けることができるとともに、簡単な構成でこの整理棚を折りたたむことができ、非使用時においてこの整理棚を収納するスペースを節約することができる。
【００１３】
以上に述べたような整理棚は、特に卓上に載置して用いられるものに好適に用いることができる。
【００１４】
以上述べたような整理棚に好適に用いられる棚板取付具として、前記側板に設けた棚板取付孔に係合させる取付部と、前記棚板の側端縁部を載置する載置部及び前記棚板の側端部と係り合う対棚板係合部を有し、前記棚板を保持する棚板保持部とを具備するとともに、前記取付部近傍から延ばして設けられ、前記側板間の離間に伴い、該棚板取付具が前記取付部付近を中心として回転運動を行う際に側板に衝き当たり得るように構成している回転抑止部をさらに有するものが挙げられる。
【００１５】
【発明の実施の形態】
以下、本発明の一実施形態を、図面を参照して説明する。
【００１６】
本実施形態に係る卓上整理棚Ｌは、机ＤＥ等の卓上に載置して用いるものであって、斜視図を図１、正面図を図２、平面図を図３、側面図を図４、底面図を図５にそれぞれ示すように、左右に離間させて１対設けた側板１と、前記側板１間に架け渡して設けた棚板２と、前記１対の側板１の後端部間に設けた背板３と、前記側板１の上方に設けた天板４とを有する。
【００１７】
前記側板１は、本実施形態ではそれぞれ１枚の金属板を４回略直角に折り返し、その両端部を重合させることにより両面がそれぞれ左右に向かう中空の板状に板金加工により形成していて、その上面を隠蔽する上蓋体１１を具備する。
【００１８】
前記棚板２は、本実施形態では板金加工により形成している。具体的には、図２におけるＢ−Ｂ断面図を図６、図６におけるＹ−Ｙ部分拡大図を図７、図３におけるＤ−Ｄ断面図を図８、図８における領域Ｚの拡大図を図９に示すように、１枚の金属板の前端縁部及び後端縁部を下方に折り返して第１折り返し部２１を設けているとともに、左右両端縁部を下方に折り返して第２折り返し部２２を設けている。さらに、第１折り返し部２１に隣接させて、幅方向に延びる補強材２３を熔接等により設けている。
【００１９】
前記背板３は、本実施形態では図２における領域Ｃの拡大図である図１０、及び図１０のＥ−Ｅ断面図である図１１に示すように、前半部を構成する前板３１と後半部を構成する後板３２とを前後に対向させ、これら前板３１及び後板３２の上端縁部、下端縁部、及び両側端縁部を互いに向かい合わせに折り返し、これら前板と後板との接合部を熔接することにより、中空の板状に形成している。また、図６に示すように、この背板３と前記棚板２の後端２ｘとの間、及びこの背板３とこの卓上整理棚を載置する机等の上面ＤＴとの間には空間を設けていて、配線等を挿通可能にしている。さらに、前記前板３１には、その裏面に接合する板状の取付部３３１と、前記取付部３３１を後方に折り返して形成した接続部３３２と、接続部３３２から側前方に水平に突出して設けた取付爪本体３３３とを有する取付爪３３をさらに取り付けている。具体的には、前記取付部３３１を前記前板３１の裏面に熔接等により接合しているとともに、前板の側端縁部にはスリット（図示略）を設けていて、このスリットから前記取付爪本体３３３を水平に伸ばして設けている。一方、前記側板１の内面の後端部には対背板取付孔１ｄが設けてあり、前記対背板取付孔１ｄと前期取付爪３３とを係り合わせることにより、前記側板１を前記背板３の側縁又はその近傍に設定した軸を中心に回転可能に取り付けることができる。そして、前記側板１は、この背板３と重合する位置まで回転可能である。
【００２０】
前記天板４は、本実施形態では略矩形状をなす板状のものであり、その下面に補強部材（図示略）を設けているとともに、隅部の下面から補助支柱４１を略鉛直下方に延ばして設けている。前記補強部材には、オプション取付孔を複数設けていて、オプション部材に設けた取付爪をこのオプション取付孔に係合させ、オプション部材を水平方向にスライドさせることによってオプション部材を幅方向位置を変更可能に取付可能にしている。
【００２１】
さらに、この卓上整理棚Ｌは、天板４の高さ位置を変更可能に構成している。具体的には、前記図２、図２におけるＡ−Ａ断面図である図１２、及び図１２のＸ−Ｘ部分拡大図である図１３、側板１の平面図を図１４に示すように、前記補助支柱４１にその太さ寸法を縮小させて設けた係合溝４ａを相互に所定ピッチｐだけ離間させて複数、本実施形態ではでは３箇所形成している。その上で、前記側板１の上面に前記係合溝に係合可能な係合孔１ａと前記補助支柱４１を挿通可能に構成した挿通孔と１ｂを連通させて設けた天板取付体１２を設け、前記係合溝と前記係合孔とを係り合わせるようにしている。なお、この天板取付体１２は、本実施形態では上蓋体１１に設けた溝１１ａに挿入するようにしている。そして、この天板４は、それぞれ距離ｐだけ離間させて設けた第１天板取付位置、第２天板取付位置、及び第３天板取付位置のいずれかに選択的に取付可能にしている。
【００２２】
このように構成した卓上整理棚Ｌの天板４の高さを変更する方法を以下に述べる。
【００２３】
まず、前記天板取付体１２を奥行き方向にスライドさせる等して、挿通孔中に補助支柱４１を挿し通した状態にする。次いで、天板４を希望する高さ位置に上下させる。そして、前記天板取付体１２を再び奥行き方向にスライドさせ、前記係合溝と前記係合孔とを係り合わせる。
【００２４】
また、この卓上整理棚Ｌは、棚板２の高さ位置をも変更可能に構成している。すなわち、前記図２の実線に示す第１棚板取付位置と、この第１棚板取付位置からｐだけ上方に離間して位置し、前記図２の想像線に示す第２棚板取付位置と、この第２棚板取付位置からさらにｐだけ上方に離間して位置し、同じく前記図２の想像線に示す第３棚板取付位置とに棚板２を選択的に取り付けることができる。具体的には、側板１の内側面に、棚板取付具２４を取り付け可能に構成され、前後に離間して対をなす棚板取付部たる棚板取付孔１ｃを複数対、本実施形態ではでは３対、高さ方向に所定ピッチｐだけ相互に離間させて設けているとともに、棚板取付具２４を介して前記棚板２を図６〜図９に示すように取付可能にしている。
【００２５】
しかして本実施形態では、前記棚板取付具２４は、図１５に示すように、前記側板１に設けた棚板取付孔１ｃに係合させる取付部たる係合爪２４１と、前記棚板２を保持する棚板保持部２４２と、前記係合爪２４１近傍から延ばして設けられ、前記係合爪２４１付近を中心とし前記棚板保持部２４２が前記側板１から離間する向きに該棚板取付具２が回転運動を行う際に側板１に衝き当たり得るように構成している回転抑止部たる押さえ板部２４３を具備する。前記係合爪２４１は、本実施形態では前後１対に設けられている。前記棚板保持部２４２は、前記棚板２の側端縁部に設けた前記第２折り返し部２２を載置する載置部２４２ａと、前記第２折り返し部２２の折り返し端部と係り合う対棚板係合部２４２ｂとを有する。なお、図１５において、（ａ）は前記棚板取付具２４の正面図、（ｂ）は前記棚板取付具２４の平面図、（ｃ）は前記棚板取付具２４の側面図である。
【００２６】
具体的には、１枚の略矩形状をなす金属板の長手方向両端部に、短辺方向に沿って切り欠き２４ｘを設けるとともに、この切り欠き２４ｘから長手方向両端側を起立させて係合爪２４１を設け、切り込み間の部分を下方に折り曲げて押さえ板部２４３を設けている。そして、この金属板の残り部分の短辺方向中間部から折り曲げて、前記係合爪と略対向させるように起立させて対棚板係合部２４２ｂを設け、残り部分を載置部２４２ａとしている。すなわち、前記押さえ板部２４３は前記載置部２４２ａの係合爪２４１近傍部分から下方に延ばして設けている。さらに詳述すると、前記係合爪２４１は、載置部２４２ａの前端部及び後端部の側板１側の端縁から側板１に向かう方向に延びているとともに、先端部が略起立していて、前記棚板取付孔１ｃに係り合わせるようにしている。前記載置部２４２ａは、前記第２折り返し部２２を載置するようにしている。前記対棚板係合部２４２ｂは、側板１の内側面から所定距離離間して対向しているとともに、棚板２の左右両端に位置する前記第２折り返し部２２の側板１と反対側の面に対向するようにしている。前記押さえ板部２４３は、側板１の内側面に接するようにしているとともに、載置部２４２ａの側板１側の端縁から下方に延びている。そして、前記対棚板係合部２４２ｂの長手方向中央部には浮き上がり防止部材取付孔たる樹脂ファスナ挿通孔２４ａが設けてあるとともに、前記第２折り返し部２２の長手方向中央部には、浮き上がり防止部材挿通部たる切り込み２２ａを、前記樹脂ファスナ取付孔２４ａと重合可能に設け、浮き上がり防止部材たる樹脂ファスナｆを、前記樹脂ファスナ取付孔２４ａに係り合わせ、前記切り込み２２ａを通過させるようにしている。なお、この樹脂ファスナｆは、中央に孔を有するファスナ本体ｆ１と、このファスナ本体ｆ１の孔に挿通させている軸ｆ２１及び軸の一端部に設けたボタンｆ２２を有するボタン部材ｆ２とからなり、このボタン部材ｆ２を前記ファスナ本体ｆ１の穴に押し込むことにより、ファスナ本体ｆ１の先端部の径が拡大する周知の構成を有するものである。そして、ボタン部材ｆ２を押し込むことにより、前記ファスナ本体ｆ１の先端部の径を前記樹脂ファスナ取付孔２４ａの径よりも大きく拡大させるようにしている。
【００２７】
この棚板２の高さ位置は次のようにして変更する。まず、棚板２を持ち上げて、棚板取付具２４から取り外す。次に、棚板取付具２４の係合爪２４１と側板１の棚板取付孔１ｃとの係合を解除する。そして、左右の棚板取付具２４をそれぞれ所望の高さ位置の棚板取付孔１ｃに、係合爪２４１を係り合わせて取り付ける。最後に、棚板２の第２折り返し部２２を棚板取付具２４の載置部２４２ａに載置する。すなわち、棚板２は、図２及び図７の実線に示す第１棚板取付位置と、この第１棚板取付位置から上方にｐだけ離間した第２棚板取付位置と、この第２棚板取付位置からさらに上方にｐだけ離間した第３棚板取付位置とに選択的に取り付けることができる。
【００２８】
次に、前記棚板取付具２４を介して側板１間に棚板２を取り付けた際の各部の作用を以下に示す。図９に示す状態から側板１間が離間しようとする、すなわち図９においては側板１が左方に移動しようとすると、前記棚板取付具２４は、自重と棚板２及び棚板２に載置した収納物から受ける重力との作用により前記係合爪２４１近傍を中心として前記棚板保持部２４２側が沈み込む向きに回転運動を行おうとする。しかし、前記棚板取付具２４は、上述したように、前記載置部２４２ａの側板側１端縁、すなわち係合爪２４１近傍から下方に延ばして設けた押さえ板部２４３を具備しているので、前記押さえ板部２４３の下端が側板１に衝き当たる。一方、前記係合爪２４１は前記棚板取付孔１ｃの縁部に衝き当たる。これらは、前記棚板取付具２４がこれ以上回転することを抑止する働きを行う。すなわち、この状態で棚板２が保持されるとともに、前記棚板取付具２４の自重と、棚板２及び棚板２に載置した収納物品とから受ける重力とは、棚板取付具２４及び前記側板１を固定し、前記側板１間の離間の進行を抑止するように作用する。一方、不意の衝撃などにより棚板２が浮き上がろうとすると、前記樹脂ファスナｆが前記第２折り返し部２２の下部に当たる。すなわち、この樹脂ファスナｆは棚板２の浮き上がりを防止するように作用する。
【００２９】
本実施形態に係る卓上整理棚Ｌは、以上のように構成した棚板取付具２４を用いているので、棚板取付具２４の自重と、棚板２及び棚板２に載置した収納物品から受ける重力とにより、棚板取付具２４の回転運動を抑止してこの棚板取付具２４及び側板１を略固定し、側板１相互間の離間を禁止するように作用する。従って、物品をより安定して収納でき、またより安定して卓上に設置することができる。
【００３０】
さらに、棚板２の高さ位置を変更可能に構成しているので、従来の棚板の高さ位置を変更可能に構成したこの種の整理棚に用いられる棚板取付具に替えて前記棚板取付具２４を用いることにより、側板１間の離間を防ぐことができるとともに、整理棚に収納する物品に応じて棚板２の高さ位置を変更してより幅広い使用態様に対応させることができる。
【００３１】
特に、本実施形態では、天板４の高さも変更可能に構成しているので、棚板２下方の空間及び天板４と棚板２との間の空間の高さ寸法を必要に応じて変更でき、従ってより幅広い使用形態に対応できる。
【００３２】
また、側板１の後端部間に背板３を設けているので、例えば上述した天板４と棚板２との間の空間にファイルを収納する使用形態等をとる際に、この背板３に収納する物品を衝き当て、より安定的に物品を収納できる。
【００３３】
加えて、この背板３に取付爪３３を設け、前記側板１に取付孔を設けてこれら取付孔と取付爪３３とを係り合わせ、前期背板３に前期側板１を前記背板３の側縁又はその近傍に設定した軸を中心に回転可能に設け、前記側板１と前記背板３とを重合可能にしているので、簡単な構成でこの卓上整理棚を折りたたむことができ、非使用時においてこの卓上整理棚Ｌを収納するスペースを節約することができる。
【００３４】
なお、本発明は以上に述べた実施形態に限られない。
【００３５】
例えば、棚板保持部を取付部よりも下方に設けるとともに、回転抑止部を取付部近傍から上方に延ばして設けるようにした棚板取付具を用いてもよい。また、棚板保持部を取付部よりも上方に設けるとともに、回転抑止部を取付部近傍から下方に延ばして設けるようにした棚板取付具を用いてもよい。これらの実施態様でも、回転抑止部及び係止部が側板に衝き当たることにより棚板取付具及び側板を固定でき、側板間の離間を防ぐことができる。
【００３６】
また、上述した実施形態に述べたような前後に延びる形状の棚板取付具でなく、長手寸法を側板に設けた係合孔に対応させた棚板取付具を用い、この棚板取付具を１つの係合孔に１個取り付けるようにしてもよい。
【００３７】
さらに、棚板を１箇所だけ設けた所定の高さ位置に取り付けるように構成した整理棚に上述したような棚板取付具を用いるようにしてもよい。一方、棚板は、２箇所又は４箇所以上の高さ位置に選択的に取付可能にしたものでもよい。
【００３８】
加えて、棚板には必ずしも切れ込みを設ける必要はなく、樹脂ファスナを挿通させる樹脂ファスナ挿通孔を設けてもよいし、棚板取付具の樹脂ファスナ挿通孔を低い位置に設ける等、それ以外の方法により樹脂ファスナが棚板に衝き当たるようにしても、樹脂ファスナによる浮き上がり防止の効果は得られる。また、樹脂ファスナを用いる代わりに、雄ねじ部材を棚板取付具に設けた雌ねじ孔にねじ止めする等、樹脂ファスナ以外の部材を浮き上がり防止部材として用いるようにしてもよい。加えて、場合によっては浮き上がり防止部材を省略してもよい。
【００３９】
一方、背板と側板との接続も、上述した実施形態に述べたもの以外に、例えば、一方に設けたフック爪と他方に設けたフック爪とを係合させる構造や、背板に雌ねじ孔を、側板にねじ挿通孔をそれぞれ設けてこれらを重合させ、雄ねじ部材を前記雌ねじ孔にねじ止めする態様等を用いてもよい。但し、これらの態様では、側板は回転可能でないので、収納の際には側板を完全に背板から取り外すことが望ましい。
【００４０】
加えて、背板は省略しても構わない。この場合、天板と棚板との間の空間に収納する物品を背板に衝き当てて安定的に収納する効果は得られないが、この卓上整理棚は奥行き方向両側に開口させて、奥行き方向両側から使用可能にすることができる。
【００４１】
また、天板の高さ方向を変更する方法は、上述した実施形態に述べたもの以外に、例えば、補助支柱に雌ねじ孔を複数設けるとともに、側板にねじ挿通孔を設け、前記雌ねじ孔のいずれかと前記ねじ挿通孔とを重合させ、雄ねじ部材を前記雌ねじ孔にねじ止めして天板を所望の高さ位置に取り付けるようにする態様が考えられる。このようなものであっても、前記雌ねじ孔間相互の間隔と、前記棚板取付部間相互の間隔とを一致させてあれば、天板と棚板との間の空間の高さ寸法を変えずに棚板の高さ位置を変更できる。そして、棚板の高さ位置の変更幅と、天板の高さ位置の変更幅とは、必ずしも一致可能にする必要はない。さらに、天板の高さが変更可能でないものや、天板取付位置を２箇所にのみ設けたものであってもよい一方、天板取付位置を４箇所以上に設けたものであってもよく、天板の高さが連続的に変更可能なものであってもよい。
【００４２】
その他、左右に離間して１対の側板を床面から起立して設けるようにする等、本発明の趣旨を損ねない範囲で種々に変更してよい。
【００４３】
【発明の効果】
本発明に係る整理棚は、棚板を棚板取付具を介して側板に取り付けるようにしているとともに、棚板取付具が、側板間の離間に伴い側板に衝き当たり得るように構成している回転抑止部を有するので、この回転抑止部及び側板に係合させる取付部が側板に衝き当たることにより回転運動を抑止することができる。さらに、この棚板取付具及び側板を固定して、側板間の離間の進行をも防ぐことができる。
【図面の簡単な説明】
【図１】本発明の一実施形態に係る卓上整理棚の斜視図。
【図２】同実施形態に係る卓上整理棚の正面図。
【図３】同実施形態に係る卓上整理棚の平面図。
【図４】同実施形態に係る卓上整理棚の側面図。
【図５】同実施形態に係る卓上整理棚の底面図。
【図６】図２におけるＢ−Ｂ断面図。
【図７】図６におけるＹ−Ｙ部分拡大図。
【図８】図３におけるＤ−Ｄ断面図。
【図９】図８における領域Ｚの拡大図。
【図１０】図２における領域Ｃの拡大図。
【図１１】図１０におけるＥ−Ｅ断面図。
【図１２】図２におけるＡ−Ａ断面図。
【図１３】図１２におけるＸ−Ｘ部分拡大図。
【図１４】同実施形態に係る卓上整理棚の側板の平面図。
【図１５】同実施形態に係る卓上整理棚に用いる棚板取付具の全体図。
【符号の説明】
１…側板
２…棚板
２２…第２折り返し部（側端縁部に設けた折り返し部）
２２ａ…切れ込み（浮き上がり防止部材挿通部）
２４…棚板取付具
２４１…係合爪（取付部）
２４２…棚板保持部
２４２ａ…載置部
２４２ｂ…対棚板係合部
２４３…押さえ板部（回転抑止部）
２４ａ…樹脂ファスナ取付孔（浮き上がり防止部材取付孔）
２ａ…切れ込み
３…背板
３３…取付爪
ｆ…樹脂ファスナ（浮き上がり防止部材）
【図１】
2004147798.tif 000003
【図２】
2004147798.tif 000004
【図３】
2004147798.tif 000005
【図４】
2004147798.tif 000006
【図５】
2004147798.tif 000007
【図６】
2004147798.tif 000008
【図７】
2004147798.tif 000009
【図８】
2004147798.tif 000010
【図９】
2004147798.tif 000011
【図１０】
2004147798.tif 000012
【図１１】
2004147798.tif 000013
【図１２】
2004147798.tif 000014
【図１３】
2004147798.tif 000015
【図１４】
2004147798.tif 000016
【図１５】
2004147798.tif 000017